(57)【要約】
【課題】　手の届かないかゆい部分を適度な摺接力にて掻くことができ、十分な満足感を得ることができるまごのてを提供する。
【解決手段】　基端４に握り部５を有するまごのて本体１と、まごのて本体１の先端部２に付設された皮膚掻き用植毛部３とを、有する。まごのて本体１の先端部２を側面視に於て10°以上45°以下の傾斜角度をもって、前方へ傾斜させる。
【選択図】　図２
0003099996.tif 000002
【実用新案登録請求の範囲】
【請求項１】
基端（４）に握り部（５）を有するまごのて本体（１）と、該まごのて本体（１）の先端部（２）に付設された皮膚掻き用植毛部（３）とを、有することを特徴とするまごのて。
【請求項２】
基端（４）に握り部（５）を有するまごのて本体（１）と、該まごのて本体（１）の先端部（２）に付設された皮膚掻き用植毛部（３）とを、有し、上記まごのて本体（１）の先端部（２）が側面視に於て10°以上45°以下の傾斜角度（θ）をもって、前方へ傾斜し、かつ、植毛先端面（Ｕ）の包括正面面積（Ｓ）を４cm2 以上20cm2 以下に設定したことを特徴とするまごのて。
【考案の詳細な説明】
【技術分野】
【０００１】
　本考案は、まごのてに関する。
【背景技術】
【０００２】
　従来、背中などの手の届かない部分を掻くためにまごのてが使用されている。このまごのては、皮膚を掻く部分が、例えば、木（竹）製の弯曲片状のものが知られている。
【０００３】
　しかし、所望の背中等の部位を、適切な力で心地良く掻くのが難しかった。
【考案の開示】
【考案が解決しようとする課題】
【０００４】
　解決しようとする問題点は、所望の背中等の部位を、適切な力で心地良く掻くのが難しい点である。
【課題を解決するための手段】
【０００５】
　本考案は、基端に握り部を有するまごのて本体と、該まごのて本体の先端部に付設された皮膚掻き用植毛部とを、有するものである。また、基端に握り部を有するまごのて本体と、該まごのて本体の先端部に付設された皮膚掻き用植毛部とを、有し、上記まごのて本体の先端部が側面視に於て10°以上45°以下の傾斜角度をもって、前方へ傾斜し、かつ、植毛先端面の包括正面面積を４cm2 以上20cm2 以下に設定したものである。
【考案の効果】
【０００６】
　本考案のまごのてによれば、使用時に多少力を入れすぎても、皮膚を傷つけることがなく、かつ、適度な摺接力にてかゆい部分を掻くことができ、心地良く使用できる。
【考案を実施するための最良の形態】
【０００７】
　図１は、本考案の使用状態を示す。すなわち、背中Ｂの一部がかゆいときに、まごのて本体１の先端部２に付設された皮膚掻き用植毛部３（図２参照）をかゆい部分Ｋに摺接させて、使用する。摺動方向の一例を、図１に矢印Ａにて図示する。使用者Ｍは任意の方向にまごのてＴを摺動させて、かゆい部分Ｋを掻くことができる。
【０００８】
　図２に示すように、まごのてＴは、基端４に握り部５を有する木（竹）製又は樹脂製まごのて本体１と、まごのて本体１の先端部２に付設された皮膚掻き用植毛部３とを、有する。植毛部３は、動物の毛───例えば、ブタ、タヌキ、イノシシ等の毛───から成る。
【０００９】
　図３に示すように、まごのて本体１の先端部２が側面視に於て10°以上45°以下の傾斜角度θをもって、前方へ傾斜している。傾斜角度θが上記範囲外の場合、かゆい部分Ｋ（図１参照）を掻きにくい。
【００１０】
　植毛部３の植毛３ａの長さＬは、５mm以上20mm以下に設定される。長さＬが、５mm未満の場合、製造に手間がかかる。また、長さＬが、20mmを越える場合、かゆい部分Ｋを掻くときに植毛３ａが撓み過ぎて力が伝わりにくくなるとともに取り扱いにくい。特に好ましくは、植毛３ａの長さＬは、７mm以上15mm以下である。
【００１１】
　図４に示すように、植毛部３の植毛先端面Ｕの包括正面形状は、円形状に形成されている。植毛先端面Ｕの包括正面面積Ｓは４cm2 以上20cm2 以下に設定される。包括正面面積Ｓが４cm2 未満の場合、かゆい部分Ｋを掻くのに時間が掛かり、また、強く掻き過ぎる虞れがあり、また、植毛部３が早く損傷・摩耗する。また、包括正面面積Ｓが20cm2 を越える場合、かゆい部分Ｋ以外の部分まで掻いてしまい、余計な力が必要になるとともに、先端部２の重量が大きくなるのでまごのてＴを取り扱いにくい。
【００１２】
　図５は、第２の実施の形態を示す。植毛部３の植毛先端面Ｕの包括正面形状が、楕円形状に形成されている。まごのて本体１をその長手方向に往復動させて使用しやすい。
【００１３】
　図６は、第３の実施の形態を示す。植毛部３の植毛先端面Ｕの包括正面形状が、正方形状に形成されている。なお、この正方形状を長方形としても良い。
【００１４】
　図７は、第４の実施の形態を示す。植毛部３は、複数の植毛束６ごとに、付設されている。植毛束６を構成する植毛３ａの本数や、植毛束６の配置によって、植毛部３のたわみ具合を調節することができる。すなわち、ひとつの植毛束６を構成する植毛３ａの本数が少ないほど、植毛部３は容易にたわむ。また、植毛束６と植毛束６との間隔が広いほど、植毛部３は容易にたわむ。
【００１５】
　本考案に於て、「包括正面面積」とは、先端部２の前面（すなわち、植毛面７）に垂直な方向から見たときの植毛面７への投影面積のことをいうものと定義する。なお、第４の実施の形態（図７）に於ては、２点鎖線───すなわち、最外の植毛束６の外側を囲う仮想線───の内側の面積を、包括正面面積Ｓとみなす。
【００１６】
　なお、本考案は、設計変更可能であって、植毛３ａの長さＬは一定でなくても良い。例えば、植毛３ａの長さＬが、植毛面７の中央部では長く、植毛面７の周辺部に向かって次第に短くしても良い。すなわち、植毛部３を略山型とするも良い。このような場合、「植毛３ａの長さＬ」とは、全ての植毛３ａの平均長さのことであると定義する。
【００１７】
　以上のように、本考案によれば、基端４に握り部５を有するまごのて本体１と、まごのて本体１の先端部２に付設された皮膚掻き用植毛部３とを、有するので、使用時に多少力を入れすぎても、皮膚を傷つけることがなく、かつ、適度な摺接力にてかゆさを軽減することができる。使用者Ｍは、手の届かないかゆい部分Ｋを適度な摺接力にて掻くことができ、満足感を得ることができる。特に、従来の木（竹）製のまごのてのように、ごつごつとした過度の硬さがなくなって、快適な使用感（ 100％の満足感）が得られる。
【００１８】
　また、まごのて本体１の先端部２が側面視に於て10°以上45°以下の傾斜角度θをもって、前方へ傾斜しているので、かゆい部分Ｋを容易に掻くことができる。また、植毛先端面Ｕの包括正面面積Ｓを４cm2 以上20cm2 以下に設定したので、かゆい部分Ｋに容易かつ正確に植毛部３をもっていくことができるとともに、必要最小限の力で掻くことができ、取り扱いも容易であり、さらに、植毛部３の耐性も優れている。
【図面の簡単な説明】
【００１９】
【図１】本考案の使用状態を示す説明図である。
【図２】第１の実施の形態を示す斜視図である。
【図３】側面図である。
【図４】要部拡大斜視図である。
【図５】第２の実施の形態を示す要部拡大斜視図である。
【図６】第３の実施の形態を示す要部拡大斜視図である。
【図７】第４の実施の形態を示す要部拡大斜視図である。
【符号の説明】
【００２０】
　１　まごのて本体
　２　先端部
　３　（皮膚掻き用）植毛部
　４　基端
　５　握り部
　Ｓ　包括正面面積
　Ｕ　植毛先端面
　θ　傾斜角度
【図１】
0003099996.tif 000003
【図２】
0003099996.tif 000004
【図３】
0003099996.tif 000005
【図４】
0003099996.tif 000006
【図５】
0003099996.tif 000007
【図６】
0003099996.tif 000008
【図７】
0003099996.tif 000009